【手続補正書】
【提出日】平成24年3月2日(2012.3.2)
【手続補正１】
【補正対象書類名】特許請求の範囲
【補正対象項目名】全文
【補正方法】変更
【補正の内容】
【特許請求の範囲】
【請求項１】
撮像位置の移動軌跡を表す軌跡線を描画した地図画面を生成する地図画面生成部と、
前記地図画面を表示部に表示させる表示制御部と、
前記表示部の表示画面に対して操作体が接触又は近接した位置を検出する位置検出部と、
を備え、
前記位置検出部は、前記操作体により指定された前記軌跡線上のポイントを検出し、
前記表示制御部は、前記撮像位置を表す撮像位置情報に基づいて、前記検出されたポイントに対応する撮像位置で撮像された動画像のサムネイル画像を、前記地図画面上に表示させる、画像処理装置。
【請求項２】
前記操作体により、前記表示画面に表示された前記軌跡線がなぞられたときに、
前記位置検出部は、前記操作体によりなぞられた前記軌跡線上の複数のポイントを順次検出し、
前記表示制御部は、前記撮像位置情報に基づいて、前記検出された複数のポイントにそれぞれ対応する複数の撮像位置で撮像された複数のサムネイル画像を、前記地図画面上に順次表示させる、請求項１に記載の画像処理装置。
【請求項３】
前記表示制御部は、前記軌跡線がなぞられたときに前記サムネイル画像が表示される前記ポイントの間隔を、地図の縮尺に応じて変更する、請求項２に記載の画像処理装置。
【請求項４】
前記位置検出部が前記操作体による前記地図画面に対する所定操作を検出すると、前記表示制御部は、前記所定操作に応じて、前記地図の縮尺を変更する、請求項３に記載の画像処理装置。
【請求項５】
前記地図画面は、前記動画像に対して実行可能な所定機能を表す少なくとも１つの機能アイコンをさらに含み、
前記画像処理装置は、前記動画像に対して前記所定機能を行う機能制御部をさらに備え、
前記位置検出部は、前記操作体による前記地図画面に対する所定操作により指定された前記軌跡線の区間と、前記操作体により指定された前記機能アイコンを検出し、
前記機能制御部は、
前記撮像位置情報に基づいて、前記指定された軌跡線の区間に対応する前記動画像の区間に対して、前記指定された機能アイコンに対応する前記所定機能を行う、請求項１に記載の画像処理装置。
【請求項６】
前記所定機能は、
前記動画像の少なくとも一部の区間を削除する機能、
前記動画像の少なくとも一部の区間に対して評価値を付与する機能、
前記動画像の少なくとも一部の区間を再生する機能、又は、
前記動画像の少なくとも一部の区間を用いてプレイリストを作成する機能
のうち少なくともいずれかを含む、請求項５に記載の画像処理装置。
【請求項７】
撮像位置の移動軌跡を表す軌跡線を描画した地図画面を生成するステップと、
前記地図画面を表示部に表示するステップと、
前記表示部の表示画面に対して操作体が接触又は近接した位置を検出する位置検出部により、前記操作体により指定された前記軌跡線上のポイントを検出するステップと、
前記撮像位置を表す撮像位置情報に基づいて、前記検出されたポイントに対応する撮像位置で撮像された動画像のサムネイル画像を、前記地図画面上に表示するステップと、
を含む、画像処理方法。
【請求項８】
撮像位置の移動軌跡を表す軌跡線を描画した地図画面を生成するステップと、
前記地図画面を表示部に表示するステップと、
前記表示部の表示画面に対して操作体が接触又は近接した位置を検出する位置検出部により、前記操作体により指定された前記軌跡線上のポイントを検出するステップと、
前記撮像位置を表す撮像位置情報に基づいて、前記検出されたポイントに対応する撮像位置で撮像された動画像のサムネイル画像を、前記地図画面上に表示するステップと、
をコンピュータに実行させるためのプログラム。
【手続補正２】
【補正対象書類名】明細書
【補正対象項目名】００３２
【補正方法】変更
【補正の内容】
【００３２】
映像信号用増幅回路１００及び画像データ処理部１０２は、撮像部２００により生成された撮像信号を信号処理して画像データを生成する画像処理部２１０（図４参照）として機能する。上記撮像素子１８で生成された撮像信号は映像信号用増幅回路１００で増幅され、画像データ処理部１０２に供給される。画像データ処理部１０２は、この撮像信号に所定の信号処理を行うことで、画像データ（動画データ又は静止画データ）を生成し、記録再生回路１０８に供給する。所定の信号処理は、例えば、ＣＤＳ（Ｃｏｒｒｅｌａｔｅｄ  Ｄｏｕｂｌｅ  Ｓａｍｐｌｉｎｇ：相関２重サンプリング）処理、プログラマブルゲインアンプ（ＰＧＡ）によるゲイン処理などのアナログ信号処理や、Ａ／Ｄ変換処理、ガンマ補正処理、ホワイトバランス処理等のデジタル信号処理などである。
【手続補正３】
【補正対象書類名】明細書
【補正対象項目名】００４０
【補正方法】変更
【補正の内容】
【００４０】
表示パネル２０、２９０２は、上記のように供給された各種の画像データ（動画像、静止画）を表示する表示部として機能する。例えば、表示パネル２０、２９０２は、記録再生回路１０８から撮像中にリアルタイムで入力される動画像（ライブビュー画像）を表示する。これにより、ユーザは、撮像装置１０で撮像中の動画像を見ながら、撮像操作（例えば、ズーム操作や、録画開始指示、録画終了指示、インデックス指示の入力操作など）を行い、所望の被写体を所望の構図で撮像できる。また、記録媒体２、４に記録されている動画像を記録再生回路１０８により再生したときに、表示パネル２０、２９０２は、記録再生回路１０８から入力された再生画像を表示する。これにより、ユーザは、記録媒体２、４に記録されている動画像の内容を確認することができる。
【手続補正４】
【補正対象書類名】明細書
【補正対象項目名】００５３
【補正方法】変更
【補正の内容】
【００５３】
測位部１２２は、撮像装置１０の現在位置を測定して、動画像の撮像位置を表す撮像位置情報を生成する機能を有する。測位部１２２は、例えば、ＧＰＳ（Ｇｌｏｂａｌ  Ｐｏｓｉｔｉｏｎｉｎｇ  Ｓｙｓｔｅｍ）センサ、角速度センサ、加速度センサ、磁気センサなどで構成される。測位部１２２は、かかる各種のセンサを用いて、動画像を撮像した時の撮像装置１０の位置（緯度、経度等）や姿勢などを測定することによって、動画像を撮像したときの撮像位置を表す撮像位置情報を生成する。
【手続補正５】
【補正対象書類名】明細書
【補正対象項目名】００５５
【補正方法】変更
【補正の内容】
【００５５】
コントロール回路１１０は、記録再生回路１０８等を制御することにより、上記測位部１２２により生成された撮像位置情報を、その撮像位置で撮像された動画像のフレームに関連づけて記録媒体に記録する。例えば、測位部１２２は、動画像の撮像中（録画期間中）に所定の時間間隔（例えば数秒ごと、数分ごと）で撮像位置を測定し、当該撮像位置を表す撮像位置情報を生成する。当該撮像位置情報は、例えば、動画像のフレーム位置情報に関連づけられて、メモリ２４０（図４参照）に保存される。フレーム位置情報は、動画像を構成する各フレームの位置を表す情報であり、例えば、撮像時刻、タイムコード、動画像の先頭フレームからのフレーム数、又は、動画像の先頭からの時間などである。以下の例では、動画像のフレーム位置情報として、撮像時刻を用いる例について説明するが、撮像位置情報は、かかる例に限定されない。
【手続補正６】
【補正対象書類名】明細書
【補正対象項目名】００８２
【補正方法】変更
【補正の内容】
【００８２】
詳細には、地図画面３００の表示中に、ユーザがタッチパネル４０を用いて地図画面３００内の軌跡線３０２に対して所定の操作を行って、当該軌跡線３０２上の区間３１６を指定し、さらに、地図画面３００内の機能アイコン３２０を指定する（図１２〜図１４参照）。すると、機能制御部２４６は、ユーザにより指定された軌跡線３０２上の区間３１６に対応する撮像位置の区間を求め、さらに、メモリ２４０に保存されている撮像位置情報に基づいて、当該撮像位置の区間で撮像された動画像の区間（動画像を構成するフレームの範囲）を求める。そして、機能制御部２４６は、当該動画像の区間に対して、ユーザにより指定された機能アイコン３２０に対応する所定機能を行う。
【手続補正７】
【補正対象書類名】明細書
【補正対象項目名】００９７
【補正方法】変更
【補正の内容】
【００９７】
第１の方法では、表示制御部２３８は、動画像の撮像中に測定された複数の撮像位置の中から、指定されたポイント３０８Ａに最も近い撮像位置を選択する。そして、当該最も近い撮像位置に関連づけられたフレームを、ポイント３０８Ａに対応するサムネイル画像３１０Ａとして抽出して、地図画面３００上に表示する。この第１の方法は、撮像位置の測定間隔が密である場合に有効である。
【手続補正８】
【補正対象書類名】明細書
【補正対象項目名】０１１２
【補正方法】変更
【補正の内容】
【０１１２】
以上のように図９の地図画面３００よりも、図１１の地図画面３００の方が、サムネイル画像３１０が表示されるポイント３０８の間隔が狭い。従って、図１１の拡大された地図画面３００では、所定範囲の軌跡線３０２がなぞられたときに表示されるサムネイル画像３１０の個数が多くなる。即ち、サムネイル画像３１０の表示間隔が密になる。よって、ユーザは、図１１の拡大された地図画面３００の軌跡線３０２をなぞることで、所望の狭い範囲で撮像された動画像の内容を詳細に確認することができる。一方、図９の縮小された地図画面３００では、上記所定範囲の軌跡線３０２がなぞられたときに表示されるサムネイル画像３１０の個数が少なくとなる。即ち、サムネイル画像３１０の表示間隔が粗になる。よって、ユーザは、図９の縮小された地図画面３００の軌跡線３０２をなぞることで、広い範囲で撮像された動画像全体の内容の遷移を概略的に把握することができる。
【手続補正９】
【補正対象書類名】明細書
【補正対象項目名】０１３５
【補正方法】変更
【補正の内容】
【０１３５】
地図画面３００を利用してプレイリストを作成するときには、まず、ユーザは、地図画面３００上のプレイリストアイコン３２０Ｂ（図６等参照）にタップする。すると、タッチパネル４０は、当該ユーザによるプレイリストアイコン３２０Ｂの指定を検出し、表示制御部２３８は、図１５に示すように、地図画面３００の下部に複数のプレイリストエリア３１８Ａ、３１８Ｂ、３１８Ｃを表示する。このプレイリストエリア３１８は、プレイリストを構成する動画像の再生順序を決定するために用いられる。
【手続補正１０】
【補正対象書類名】明細書
【補正対象項目名】０１４３
【補正方法】変更
【補正の内容】
【０１４３】
以上、図１５及び図１６を参照して、地図画面３００における画像操作機能について説明した。本実施形態に係る地図画面３００の画像操作機能によれば、ユーザは、地図画面３００上において、動画像の時間軸の情報のみならず、動画像を撮像位置などの空間的な情報をも利用しながら、動画像の一部又は全部を操作又は編集することができる。しかも、かかる動画像に対する操作、編集作業は、タッチパネル４０を用いて軌跡線３０２の区間３１６と機能アイコン３２０を指定するという簡単なユーザ操作で実現できる。
【手続補正１１】
【補正対象書類名】明細書
【補正対象項目名】０１６４
【補正方法】変更
【補正の内容】
【０１６４】
また、ユーザが軌跡線３０２をなぞったときに、複数のサムネイル画像３１０が順次表示される軌跡線３０２上のポイント３０８の間隔を、地図画面３００の地図３０４の縮尺に応じて変更してもよい（図９〜図１１参照）。これにより、地図３０４を拡大表示したときには、より細かい間隔で多数のサムネイル画像３１０が表示されるので、ユーザは、軌跡線３０２に沿った動画像の内容を、より詳細に確認できる。一方、地図３０４を縮小表示したときには、粗い間隔で複数のサムネイル画像３１０が表示されるので、ユーザは、動画像全体の内容を概略的に確認できる。